(57)【要約】【課題】厨房家具への取り付けおよび取り付け後の調整が容易であり、美観も向上する加熱調理器を提供する。【解決手段】本体１１を厨房家具１６の上方の開口部１７から挿入し、本体１１の操作部１５を厨房家具１６の前方の開口部１８から露出させた後、延長部２６を含むカバー部材２３はロースタ部１４と反対側へ移動される。これにより、本体１１と厨房家具１６との間に形成される隙間５２は、カバー部材２３と一体の延長部２６によって覆われる。これにより、厨房家具１６への本体１１の設置、および延長部２６を含むカバー部材２３の移動という簡単な操作で本体１１と厨房家具１６との間に形成される隙間５２は塞がれる。また、操作部１５を本体１１内に収納したとき、延長部２６を含むカバー部材２３は操作部１５の前端側とともに本体１１と厨房家具１６との間の隙間５２を同一の平面上で覆う。したがって、美観が向上する。【選択図】図１
2010127500.tif 000002
【特許請求の範囲】
【請求項１】
本体と、
前記本体の上端に設けられているプレートと、
前記プレートの下方において前記本体に設けられている加熱部と、
前記加熱部の下方に設けられ、前方が前記本体の両端部の間に開口しているロースタ部と、
前記本体の前方側に、前記ロースタ部に隣接して設けられている操作部と、を備え、
前記本体は、上方および前方にそれぞれ開口部を有する厨房家具に取り付けられ、前記上方の開口部から挿入され、前方の開口部から前記ロースタ部および前記操作部が露出する加熱調理器において、
前記操作部から前記ロースタ部と反対側へ移動する延長部を備えることを特徴とする加熱調理器。
【請求項２】
前記延長部の前記ロースタ部と反対側の端部は、前記本体の前記ロースタ部と反対側の端部よりも前記ロースタ部側へ移動可能であることを特徴とする請求項１記載の加熱調理器。
【請求項３】
前記操作部の前側を覆う被覆部をさらに備え、
前記延長部は、前記被覆部に設けられていることを特徴とする請求項１または２記載の加熱調理器。
【請求項４】
前記被覆部は、前記操作部の幅方向の全長よりも幅方向の全長が長いことを特徴とする請求項３記載の加熱調理器。
【請求項５】
前記操作部は、上端および下端にそれぞれ溝を有し、
前記被覆部は、前記上端および前記下端の溝に噛み合って、前記溝に沿って移動可能であることを特徴とする請求項４記載の加熱調理器。
【請求項６】
前記操作部は、幅方向へ延びる長穴を有し、
前記被覆部は、前記操作部側の端面から前記操作部側へ突出して前記長穴に挿入される突起部を有することを特徴とする請求項４記載の加熱調理器。
【請求項７】
前記被覆部と前記操作部との間の相対的な移動を規制する規制手段をさらに備えることを特徴とする請求項５記載の加熱調理器。
【請求項８】
前記規制手段は、前記突起部に力を加えて移動を規制するばね部材であることを特徴とする請求項７記載の加熱調理器。
【請求項９】
前記ロースタ部の内部を前後へ移動するキャリアと、前記ロースタ部の前側を覆い前記キャリアと一体に移動する前方扉とをさらに備え、
前記前方扉の前記被覆部側の端部は、前記被覆部の前記前方扉側の端部と隣接することを特徴とする請求項３から８のいずれか一項記載の加熱調理器。
【請求項１０】
前記操作部は、下端部の軸を中心として前方へ回転して開閉可能な開閉式の可動操作部と、前記開閉式の操作部の上方に設けられている非開閉式の固定操作部とを有することを特徴とする請求項１から９のいずれか一項記載の加熱調理器。
【請求項１１】
前記可動操作部と前記固定操作部とは、前記ロースタ部と反対側の端部の位置が同一であることを特徴とする請求項１０記載の加熱調理器。
【発明の詳細な説明】
【技術分野】
【０００１】
本発明は、加熱調理器に関し、特に上方および前方にそれぞれ開口部を有する厨房家具に取り付けられる加熱調理器に関する。
【背景技術】
【０００２】
従来、システムキッチンなどの厨房家具に取り付ける家具組み込み型の加熱調理器が広く知られている。加熱調理器は、厨房家具の上方すなわちトッププレートに設けられている開口から厨房家具に収容される。そして、加熱調理器の操作部は、厨房家具の前方に露出する。厨房家具は、種々の加熱調理器に対応するため、収容部が加熱調理器よりも大きめに設定されている。このため、厨房家具と加熱調理器との間には、隙間が形成される。その結果、加熱調理器の騒音や冷却風が厨房家具の前端側から外部へ漏れやすく、美観も損ねるという問題がある。また、例えば特許文献１には、加熱調理器を厨房家具の上方から取り付けた後、前方に形成される隙間をカバーで塞ぐ構成が開示されている。
【特許文献１】特開平９−３０３７９３号公報
【発明の開示】
【発明が解決しようとする課題】
【０００３】
しかしながら、特許文献１に開示されているように加熱調理器の前方をカバーで塞ぐ場合、カバーは加熱調理器を厨房家具に取り付けた後、加熱調理器の本体あるいは厨房家具に別途取り付ける必要がある。そのため、加熱調理器を厨房家具に取り付ける際の手間が煩雑になる。さらに、カバーは、取り付けおよび取り外しを繰り返したり、衝撃を受けると、破損を招きやく、不用意に取り付けると傾きなどによってかえって美観を損ねるという問題がある。
【０００４】
そこで、本発明は、上記の課題に鑑みてなされたものであり、その目的は、厨房家具への取り付けおよび取り付け後の調整が容易であり、美観も向上する加熱調理器を提供することにある。
【課題を解決するための手段】
【０００５】
上記の課題を解決するために、本発明の加熱調理器は、本体と、前記本体の上端に設けられているプレートと、前記プレートの下方において前記本体に設けられている加熱部と、前記加熱部の下方に設けられ、前方が前記本体の両端部の間に開口しているロースタ部と、前記本体の前方側に、前記ロースタ部に隣接して設けられている操作部と、を備え、前記本体は、上方および前方にそれぞれ開口部を有する厨房家具に取り付けられ、前記上方の開口部から挿入され、前方の開口部から前記ロースタ部および前記操作部が露出する加熱調理器において、前記操作部から前記ロースタ部と反対側へ移動する延長部を備えることを特徴とする。
【発明の効果】
【０００６】
上記の本発明による加熱調理器によれば、本体を厨房家具の上方の開口部から挿入し、本体の操作部を厨房家具の前方の開口部から露出させた後、延長部を操作部からロースタ部と反対側へ移動させる。これにより、本体と厨房家具との間に形成される隙間は、延長部によって覆われる。すなわち、厨房家具への本体の設置、および延長部の移動という簡単な操作により、延長部は本体と厨房家具との間に形成される隙間を覆う。厨房家具と本体との間に形成される隙間の大きさが変化しても、延長部の移動量を調整するだけでよい。したがって、厨房家具への取り付けおよび取り付け後の調整を容易にすることができ、美観も向上させることができる。
【発明を実施するための最良の形態】
【０００７】
以下、本発明の複数の実施形態による加熱調理器を図面に基づいて説明する。なお、複数の実施形態において実質的に同一の構成部位には同一の符号を付し、説明を省略する。
（第１実施形態）
本発明の第１実施形態による加熱調理器を図１および図２に示す。加熱調理器１０は、本体１１、トッププレート１２、加熱部１３、ロースタ部１４および操作部１５を備えている。トッププレート１２は、特許請求の範囲のプレートに相当する。加熱調理器１０は、トッププレート１２が重力方向において上方となるように厨房家具１６に設けられる。厨房家具１６は、上方および前方にそれぞれ開口部１７、１８を有している。トッププレート１２は、厨房家具１６の上方の開口部１７を塞ぐように取り付けられる。なお、本明細書中では、図１に示す上、下、左、右、前、後を基準に説明する。
【０００８】
本体１１は、加熱調理器１０の主たる外郭を形成している。トッププレート１２は、例えば強化耐熱ガラスなどによって矩形の平板状に形成され、本体１１の上方を覆っている。被加熱調理器具となる図示しない鍋は、トッププレート１２の上方に載置される。加熱部１３は、トッププレート１２の下方に設けられている。トッププレート１２に載置された被加熱調理器具が例えば鉄やステンレスなどの比較的電気抵抗の大きな金属で形成されている場合、被加熱調理器具は誘導加熱コイルによる電磁誘導によって加熱される。一方、トッププレート１２に載置された被加熱調理器具が例えば銅やアルミニウムなどの比較的電気抵抗の小さな金属で形成されている場合、あるいは土鍋などの非金属で形成されている場合、被加熱調理器具は例えばリボンヒータやシーズヒータなどのヒータによって加熱される。
【０００９】
ロースタ部１４は、本体１１において加熱部１３の下方に設けられている。ロースタ部１４は、図２に示すように正面視において本体１１の左手側に設けられている。ロースタ部１４は、図１に示すようにキャリア２１および前方扉２２を有している。キャリア２１は、本体１１の内部を前後方向へ移動可能に設けられている。前方扉２２は、キャリア２１と一体に接続され、キャリア２１とともに前後方向へ移動可能であり、キャリア２１を収容する本体１１の前端を開閉する。ロースタ部１４は、図示しないシーズヒータなどを有しており、キャリア２１に載置された被調理物を加熱して調理する。ロースタ部１４の前方扉２２は、図２に示すように厨房家具１６に取り付けたとき、厨房家具１６の前方の開口部１８に位置し、開口部１８から露出する。
【００１０】
操作部１５は、ロースタ部１４に隣接して設けられている。本実施形態の場合、操作部１５は、図２に示すように正面視において本体１１の右手側すなわちロースタ部１４の右側に配置されている。操作部１５は、電源スイッチおよび設定スイッチなどの各種のスイッチを有している。加熱調理器１０の図示しない制御部は、これら操作部１５の各種のスイッチから入力された指示にしたがって、加熱部１３およびロースタ部１４による被調理物の調理を制御する。スイッチとしては、上述の電源スイッチの他、調理温度や調理時間を入力する設定スイッチ、あるいは調理メニューを入力するメニュースイッチがなどが含まれる。操作部１５は、図２に示すように厨房家具１６に取り付けたとき、厨房家具１６の前方の開口部１８から露出する。
【００１１】
加熱調理器１０は、被覆部としてのカバー部材２３を備えている。カバー部材２３は、操作部１５の前側を覆っており、操作部１５に対し左右へ移動可能である。このカバー部材２３は、正面視において右端部２４が本体１１および操作部１５よりもさらに右側すなわちロースタ部１４と反対側へ突出する。つまり、カバー部材２３は、左右方向の全長が操作部１５の左右方向の全長よりも大きい。そのため、カバー部材２３の左端部２５を操作部１５の左端部、すなわちロースタ部１４と操作部１５との境界部に位置させたとき、カバー部材２３の右端部２４は本体１１よりも右側へ突出する。操作部１５よりも右側へ突出する部分は、特許請求の範囲の延長部２６に相当する。これにより、第１実施形態の場合、延長部２６は、カバー部材２３と一体に設けられ、カバー部材２３と一体に左右方向へ移動する。
【００１２】
操作部１５は、図３および図４に示すように前壁部３１、天板部３２および側壁部３３、３４を有している。前壁部３１は、操作部１５の前端に位置している。天板部３２は、前壁部３１の上端から後方側へ延びている。側壁部３３、３４は、前壁部３１および天板部３２の左右方向の両端部にそれぞれ設けられており、天板部３２側から下方へ行くにしたがって前後方向の全長が縮小している。これにより、操作部１５は、側面視において略三角形状に形成されている。操作部１５は、前壁部３１と側壁部３３、３４とが接近する下端部に、回転軸３５を有している。操作部１５は、この回転軸３５を中心に前後へ回転可能である。上述の入力スイッチは、この回転軸３５と対向する天板部３２の上面側に設けられている。操作部１５が回転軸３５を中心に後方へ回転することにより、操作部１５は本体１１の内部に収納される。一方、操作部１５が回転軸３５を中心に前方へ回転することにより、操作部１５、特に入力スイッチが設けられている天板部３２は本体１１から露出する。このように、操作部１５は、回転軸３５を中心に回転することにより、本体１１の内部に収納または本体１１から突出する。
【００１３】
カバー部材２３は、操作部１５の前側に取り付けられている。カバー部材２３は、上端および下端に、それぞれ操作部１５側へ折り返された折り返し部４１、４２を有している。上端の折り返し部４１は、操作部１５側の端部が下端側へ折り曲げられている。同様に、下端の折り返し部４２は、操作部１５側の端部が上端側へ折り曲げられている。これにより、カバー部材２３は、上端および下端にそれぞれ左右方向へ延びる凸部４３、４４を有している。一方、操作部１５は、上端および下端にそれぞれ溝４５、４６を有している。カバー部材２３の上端側の凸部４３は溝４５に噛み合い可能であり、カバー部材２３の下端側の凸部４４は溝４６に噛み合い可能である。カバー部材２３の凸部４３を溝４５に噛み合わせ、カバー部材２３の凸部４４を溝４６に噛み合わせることにより、カバー部材２３は操作部１５の幅方向へ移動可能となる。このような構成により、カバー部材２３は、操作部１５の前側を覆いつつ、左右方向へ移動可能である。
【００１４】
次に、上記の構成による加熱調理器１０を厨房家具１６へ取り付ける手順について説明する。
加熱調理器１０は、図１に示すように厨房家具１６の上方側の開口部１７から厨房家具１６の内側へ挿入される。このとき、トッププレート１２は厨房家具１６の上方側の開口部１７よりも大きいため、開口部１７はトッププレート１２によって塞がれる。また、厨房家具１６に加熱調理器１０を取り付けるとき、一体のキャリア２１および前方扉２２は本体１１から取り外されている。これにより、操作部１５のロースタ部１４側すなわち左側には前方扉２２が存在せず、カバー部材２３は操作部１５に対し左側へ移動可能である。その結果、操作部１５の前端側を覆うカバー部材２３は、ロースタ部１４側すなわち左側へ移動し、右端部２４すなわちロースタ部１４と反対側の端部が本体１１の右端部とほぼ重なる状態となる。つまり、カバー部材２３と一体の延長部２６は、操作部１５を覆う状態で操作部１５の前方に位置している。したがって、左右方向の全長が操作部１５よりも長いカバー部材２３は、本体１１から右方へ突出せず、加熱調理器１０を厨房家具１６の開口部１７および開口部１８に挿入するとき、厨房家具１６と干渉しない。
【００１５】
厨房家具１６の開口部１７から加熱調理器１０を取り付けることにより、加熱調理器１０の前端すなわちロースタ部１４の前方の開口５１および操作部１５は、図１に示すように厨房家具１６の前方側の開口部１７から露出する。このとき、上述のようにカバー部材２３はロースタ部１４側へ移動しているため、カバー部材２３の右端部２４は本体１１の右端部とほぼ重なっている。そのため、加熱調理器１０と開口部１８を形成する厨房家具１６との間には、隙間５２が形成される。そこで、操作部１５を覆うカバー部材２３を右側へ移動させる。これにより、カバー部材２３は右側へ移動するとともに、加熱調理器１０と厨房家具１６との間に形成された隙間５２はカバー部材２３と一体の延長部２６によって塞がれる。
【００１６】
カバー部材２３が移動されると、ロースタ部１４の開口５１に一体のキャリア２１および前方扉２２が取り付けられる。キャリア２１は、ロースタ部１４の内側を前後へ移動可能である。そのため、キャリア２１を後端側へ移動させることにより、ロースタ部１４の開口５１は前方扉２２によって塞がれる。上記のようにカバー部材２３が隙間５２を塞ぐように右側へ移動することにより、カバー部材２３の左端部２５すなわちロースタ部１４側の端部はロースタ部１４と操作部１５との境界部に位置する。そのため、操作部１５を覆うカバー部材２３とロースタ部１４の前方扉２２とは干渉しない。
【００１７】
ロースタ部１４の前方扉２２は、左端部５３が操作部１５と反対側へ突出している。加熱調理器１０を厨房家具１６に取り付けたとき、加熱調理器１０の左端部と開口部１８を形成する厨房家具１６との間にも隙間５４が形成される。本実施形態の場合、ロースタ部１４の前方扉２２は上述のように左側へ突出しているため、この加熱調理器１０と厨房家具１６との間に形成される隙間５４は前方扉２２の左端部５３側によって塞がれる。
【００１８】
以上説明した本発明の第１実施形態では、以下のような効果を奏する。
延長部２６を含むカバー部材２３は、本体１１を厨房家具１６の上方の開口部１７から挿入し、本体１１の操作部１５を厨房家具１６の前方の開口部１８から露出させた後、ロースタ部１４と反対側へ移動される。これにより、本体１１と厨房家具１６との間に形成される隙間５２は、延長部２６によって覆われる。すなわち、厨房家具１６への本体１１の設置、および延長部２６を含むカバー部材２３の移動という簡単な操作で本体１１と厨房家具１６との間に形成される隙間５２は塞がれる。したがって、厨房家具１６への取り付けおよび取り付け後の調整を容易にすることができる。また、このとき、延長部２６を含むカバー部材２３は、操作部１５の前端側に位置している。そのため、操作部１５を後方へ回転させて本体１１内に収納したとき、延長部２６を含むカバー部材２３は操作部１５の前端側とともに本体１１と厨房家具１６との間の隙間５２を同一の平面上で覆う。したがって、美観を向上させることができる。
【００１９】
第１実施形態では、延長部２６を含むカバー部材２３の右端部２４は、ロースタ部１４と反対側に位置する本体１１の右端部よりもロースタ部１４側へ移動可能である。すなわち、カバー部材２３の右端部２４は、本体１１よりもロースタ部１４側へ移動する。これにより、加熱調理器１０を厨房家具１６へ取り付けるとき、カバー部材２３は本体１１から突出しない。そのため、隙間５２を覆う延長部２６をカバー部材２３と一体に設けることにより、カバー部材２３の左右方向の全長が拡大する場合でも、カバー部材２３と厨房家具１６の開口部１７、１８との干渉が確実に防止される。したがって、カバー部材２３を取り付けた状態で本体１１を厨房家具１６へ挿入可能となり、挿入後に本体１１へ別部材のカバー部材などの取り付けが不要となるので、厨房家具１６への組み付けを容易にすることができる。なお、この場合、カバー部材２３から突出する延長部２６は、開口部１７や開口部１８の幅よりも小さく設定し、ロースタ部１４側へ移動可能な構成であればよい。
【００２０】
第１実施形態では、カバー部材２３と延長部２６とは一体である。そのため、部品点数を低減することができ、構造を簡略化することができる。また、カバー部材２３と延長部２６とを一体にすることにより、本体１１と厨房家具１６との間に形成される隙間５２は、延長部２６が一体のカバー部材２３によって覆われる。したがって、操作部１５の前方を覆うカバー部材２３と隙間５２を覆う延長部２６とが単一の面を形成するので、美観を向上させることができる。
【００２１】
第１実施形態では、カバー部材２３の幅方向の全長は操作部１５の幅方向の全長よりも長い。すなわち、このカバー部材２３のうち操作部１５よりも長い部分が本体１１と厨房家具１６との間に形成される隙間５２を覆う延長部２６に相当する。したがって、簡単な構造とすることができるとともに、美観を向上させることができる。
【００２２】
第１実施形態では、操作部１５の溝４５および溝４６とカバー部材２３の凸部４３および凸部４４とがそれぞれ噛み合っている。これにより、カバー部材２３は、凸部４３、４４に噛み合う溝４５、４６に案内されることによって、左右方向へ移動する。したがって、簡単な構造でカバー部材２３を円滑かつ精度よく移動させることができる。
第１実施形態では、ロースタ部１４の前方扉２２は、カバー部材２３と隣接している。これにより、前方扉２２とカバー部材２３との間には、無用な隙間が形成されない。したがって、前方扉２２とカバー部材２３とを単一の面上に配置することができ、美観を向上させることができる。
【００２３】
（第２実施形態）
本発明の第２実施形態による加熱調理器の要部を図５に示す。
第２実施形態では、図５に示すように操作部１５に取り付けられるカバー部材２３の構成が第１実施形態と異なる。第２実施形態の場合、カバー部材２３は、後端すなわち操作部１５側の端面から後方へ突出する突起部６１を有している。突起部６１は、カバー部材２３の左右方向および上下方向へ複数設けられている。一方、操作部１５の前壁部３１には、突起部６１に対応する長穴６２が設けられている。長穴６２は、突起部６１に対応して左右方向および上下方向へ複数設けられている。カバー部材２３から突出する突起部６１は、それぞれ長穴６２に挿入される。これとともに、長穴６２に挿入された突起部６１は、カバー部材２３とは反対側の端部近傍に、抜け止めのための抜け止め部材６３が取り付けられる。抜け止め部材６３は、例えばＣリングやＥリングなどの円弧状の部材であり、突起部６１の先端の近傍に嵌め込まれる。長穴６２の短径方向の内径は、突起部６１の外径よりもわずかに大きい。これにより、長穴６２に挿入された突起部６１は、長穴６２を形成する前壁部３１の内壁に案内されつつ左右方向へ移動可能である。その結果、カバー部材２３は、操作部１５に対し左右方向へ移動可能である。
第２実施形態では、カバー部材２３は操作部１５の前壁部３１に形成された長穴６２を移動する突起部６１に案内されて左右方向へ移動する。したがって、第１実施形態と同様に簡単な構造でカバー部材２３を円滑かつ精度よく移動させることができる。
【００２４】
（第３実施形態）
本発明の第３実施形態による加熱調理器の要部を図６に示す。
第３実施形態では、図６に示すように第２実施形態の構成に加えて規制手段としての場ね部材７１を備えている。ばね部材７１は、前壁部３１の内側すなわち後側に取り付けられている。ばね部材７１は、長穴６２に挿入された突起部６１に対し、下方へ力を加える。これにより、突起部６１は、ばね部材７１の押し付け力によって長穴６２を形成する前壁部３１の下方の内壁に強く接し、左右方向への移動が規制される。ばね部材７１により突起部６１の移動を規制することにより、左右方向へ移動するカバー部材２３も移動が規制される。その結果、隙間５２を覆うために移動させたカバー部材２３は、ばね部材７１によって移動が規制され、その位置を保持する。
【００２５】
また、ばね部材７１は、左右方向へ波状に形成してもよい。ばね部材７１を波状に形成することにより、カバー部材２３が移動する際、突起部６１は波状のばね部材７１に接しながら移動する。そのため、カバー部材２３には、軽いクリック感が加えられる。その結果、ユーザは、カバー部材２３の移動量の加減が容易になる。また、突起部６１が波形状のばね部材７１と噛み合うことにより、突起部６１の位置が軽く保持される。これにより、所定の位置に移動したカバー部材２３は、無用な移動が規制される。
【００２６】
第３実施形態では、長穴６２に挿入された突起部６１を押し付けるばね部材７１を備えている。そのため、突起部６１とともに移動するカバー部材２３は、左右方向へ移動を完了した位置で保持される。したがって、カバー部材２３の無用な移動を低減することができる。また、ばね部材７１を波状に形成することにより、カバー部材２３の移動時に軽いクリック感を加えることができ、カバー部材２３の移動をより快適に行うことができるとともに、カバー部材２３の移動をより確実に規制することができる。
【００２７】
（第４実施形態）
本発明の第４実施形態による加熱調理器を図７および図８に示す。
第４実施形態では、操作部１５は、図７に示すように可動操作部８１および固定操作部８２から構成されている。可動操作部８１は、上述の第１実施形態から第３実施形態と同様に、図８に示すように下端側の回転軸３５を中心として前後へ回転する開閉式に構成されている。一方、固定操作部８２は、図７に示すように本体１１の前側において、可動操作部８１よりも上方すなわちトッププレート１２側に配置されている。メインの電源スイッチ８３は、温度や時間などを設定する他のスイッチに比較して高い電圧を操作する。そのため、電源スイッチ８３には、比較的径の大きな導線が接続される。これに対し、その他のスイッチは、図示しない制御部へ信号を入力するため、径の小さな導線またはプリント配線などが用いられる。このように、電源スイッチ８３は、取り扱う電圧が大きく導線の径も大きいため、繰り返し開閉を行う可動操作部８１よりも、本体１１に設けられた固定操作部８２に設けることが望ましい。以上のような理由から、第４実施形態の場合、電源スイッチ８３を設けた固定操作部８２と、その他のスイッチを設けた可動操作部８１とは分割している。この場合、カバー８５は、カバー部材８４とともに被覆部を構成している。電源スイッチ８３は、カバー８５とともに左右へ移動可能である。
【００２８】
可動操作部８１は、図８に示すように前端側が上述の複数の実施形態と同様に左右方向へ移動可能なカバー部材８４によって覆われている。これと同様に、固定操作部８２は、左右方向へ移動可能なカバー８５によって覆われている。カバー８５は、左右方向へ移動可能であるとともに、図７に示すように本体１１の右端部よりもさらに右側へ突出する延長部８６を一体に有している。
【００２９】
第４実施形態では、固定操作部８２を覆うカバー８５は、可動操作部８１を覆うカバー部材８４と同様に本体１１の右端部よりもさらにロースタ部１４と反対側すなわち右側へ突出する延長部８６と一体である。そして、このカバー８５の右端は、カバー部材８４の右端と位置が同一である。これにより、本体１１と厨房家具１６との間に形成される隙間５２は、可動操作部８１を覆うカバー部材８４および固定操作部８２を覆うカバー８５によって塞がれる。したがって、操作部１５が可動操作部８１と固定操作部８２とに分割される場合でも、美観を損なうことなく隙間５２を覆うことができる。
【００３０】
（その他の実施形態）
第１実施形態では、図４に示すようにカバー部材２３の上端および下端に凸部４３、４４を設ける例について説明した。しかし、図９に示すようにカバー部材２３は、下端側の凸部に代えて、左右方向の両端部まで延びる枠部９１を形成してもよい。
以上説明した複数の実施形態では、本体１１と開口部１８を形成する厨房家具１６との間に形成される隙間５２をカバー部材２３、８４およびカバー８５で覆い、隙間５４をロースタ部１４の前方扉２２で覆う例について説明した。この場合、本体１１と厨房家具１６との間に形成される隙間５２および隙間５４は、例えばサイドピースなどで予め塞いだ後、これらサイドピースの前方側をカバー部材２３、８４、カバー８５および前方扉２２で覆う構成としてもよい。このように隙間５２および隙間５４を二重に塞ぐことにより、騒音や冷却風の流れを確実に低減することができる。
【００３１】
また、以上説明した複数の実施形態では、操作部１５の前方にカバー部材２３を設け、操作部１５の前方をカバー部材２３で覆う例について説明した。しかし、カバー部材２３は、操作部１５の前壁部３１の内側あるいは前壁部３１の後方側に移動可能に収容する構成としてもよい。すなわち、カバー部材２３は、操作部１５の前壁部３１よりも後方に収納可能であり、操作部１５の側壁部３３から左右方向へ進退可能な構成としてもよい。固定操作部８２を覆うカバー８５についても同様である。
【図面の簡単な説明】
【００３２】
【図１】本発明の第１実施形態による加熱調理器を示す模式図であり、厨房家具への取り付け手順を段階的に示した図
【図２】本発明の第１実施形態による加熱調理器を前方から見た概略正面図
【図３】本発明の第１実施形態による加熱調理器の操作部を左方から見た概略図
【図４】本発明の第１実施形態による加熱調理器の操作部を右後方から見た概略斜視図
【図５】本発明の第２実施形態による加熱調理器の操作部を示す図４に相当する図
【図６】本発明の第３実施形態による加熱調理器の操作部を後方から見た概略図
【図７】本発明の第４実施形態による加熱調理器を示す図２に相当する図
【図８】本発明の第４実施形態による加熱調理器の操作部を左端側から見た概略図
【図９】本発明のその他の実施形態による加熱調理器の被覆部を右後方から見た概略斜視図
【符号の説明】
【００３３】
図面中、１０は加熱調理器、１１は本体、１２はトッププレート（プレート）、１３は加熱部、１４はロースタ部、１５は操作部、１６は厨房家具、１７は開口部、１８は開口部、２１はキャリア、２２は前方扉、２３はカバー部材（被覆部）、２４は右端部、２６は延長部、４５、４６は溝、６１は突起部、６２は長穴、７１はばね部材（規制手段）、８１は可動操作部、８２は固定操作部、８５はカバー（被覆部）、８６は延長部を示す。
【図１】
2010127500.tif 000003
【図２】
2010127500.tif 000004
【図３】
2010127500.tif 000005
【図４】
2010127500.tif 000006
【図５】
2010127500.tif 000007
【図６】
2010127500.tif 000008
【図７】
2010127500.tif 000009
【図８】
2010127500.tif 000010
【図９】
2010127500.tif 000011